(57)【要約】【課題】  所望の高さとできるとともに角度調整が可能なテレビ支持装置を、安価、かつ、組み立て容易に得られるようにする。【解決手段】  基台２にテレビ支持体３が直接に、もしくは、アーム体５を介して取り付けられる構成であり、基台２とテレビ支持体３との連結部Ａ、基台２とアーム体５との連結部Ｂ、および、アーム体５とテレビ支持体との連結部Ｃそれぞれが、同一構造で、かつ、所望相対回転位置に保持されることが可能な構造とされてなることを特徴とするテレビ支持装置。【選択図】図４
2009182952.tif 000002
【特許請求の範囲】
【請求項１】
基台にテレビ支持体が直接に、もしくは、アーム体を介して取り付けられる構成であり、
前記基台と前記テレビ支持体との連結部、前記基台と前記アーム体との連結部、および、前記アーム体と前記テレビ支持体との連結部それぞれが、同一構造で、かつ、所望相対回転位置に保持されることが可能な構造とされてなることを特徴とするテレビ支持装置。
【発明の詳細な説明】
【技術分野】
【０００１】  この発明は、病室のベッド傍等において用いられるテレビ支持装置に関する。
【背景技術】
【０００２】  病室には、ベッド傍に患者が見るためのテレビを設けている場合が多い。このようなテレビは、例えば、下部が収納部となったテレビ台上に設置されている。
【発明の開示】
【発明が解決しようとする課題】
【０００３】  上記のようにテレビ台上に単にテレビが設置された場合、その高さ、方向が限定されて患者から見にくい場合があり、最近では専用のテレビ支持装置が提供されている。【０００４】  この発明では、所望の高さとできるとともに角度調整が可能なテレビ支持装置を、安価、かつ、組み立て容易に得られるようにすることを目的とする。
【課題を解決するための手段】
【０００５】  この発明では、基台にテレビ支持体が直接に、もしくは、アーム体を介して取り付けられる構成であり、前記基台と前記テレビ支持体との連結部、前記基台と前記アーム体との連結部、および、前記アーム体と前記テレビ支持体との連結部それぞれが、同一構造で、かつ、所望相対回転位置に保持されることが可能な構造とされてなることを特徴とするテレビ支持装置を提供する。【０００６】  この発明のテレビ支持装置は、基台とテレビ支持体との連結部、基台とアーム体との連結部、および、アーム体とテレビ支持体との連結部それぞれを同一構造としていることで、高さが異なるとともに角度調整がなされるテレビ支持体がその連結部材を共通とするとともに、同様の組み立て作業により組み立てられる。
【発明の効果】
【０００７】  この発明によれば、高さが異なるとともに角度調整がなされるテレビ支持装置が連結部材を共通にして、また、同様の組み立て方法により得られ、これにより見る方向を調整可能としたテレビ支持装置が安価、かつ、製造容易に得られるようになる。
【発明を実施するための最良の形態】
【０００８】  図１、図２、図３はこの発明のテレビ支持装置の各組み立て状態を示す斜視図である。【０００９】  図１に示すテレビ支持装置１は基台２に面状のテレビ支持体３が直接取り付けられて構成され、図２に示すテレビ支持装置１は基台２に１個のアーム体５を介してテレビ支持体３が取り付けられて構成され、図３に示すテレビ支持装置１は基台２に連接される２個のアーム体５を介してテレビ支持体３が取り付けられて構成されている。これらテレビ支持装置１における基台２とテレビ支持体３との連結部Ａ、基台２とアーム体５との連結部Ｂ、アーム体５とテレビ支持体７との連結部Ｃ、アーム体５どうしの連結部Ｄが、同一構造で所望相対回転位置に保持されることが可能な構造とされている。【００１０】  以下、各連結部Ａ、Ｂ、Ｃ、Ｄそれぞれの連結構造を、図４に示す連結部Ｂの部分を参照して説明する。連結は、図５に示す連結具１０が用いられて行われる。連結具１０は、固定ボルト１１とその一端に螺着されるナット１３と、固定ボルト１１のネジ部１２に遊嵌装着される金属性のスリーブ１４と、スリーブ１４に遊嵌装着されるテフロンやシリコン等よりなる樹脂製のパッキン１５と、固定ボルト１１のスリーブ１４端とナット１３間の位置に遊嵌状態に隣接配置されるパッキン１７、金属製ワッシャ１８、２枚の金属製バネワッシャ１９それぞれとからなる。上記パッキン１７は上記パッキン１５と同材料よりなる。【００１１】  連結は、まずボルト１１をアーム体５の下端の取り付け凹部２０内に設けられた取り付け孔２２から差し入れ、その突出するネジ部１２にスリーブ１４を装着し、さらにそのスリーブ１４にパッキン１５を装着する。そして、パッキン１５から突出するスリーブ１４を一体とするネジ部１２を、基台２に突設される取り付け台２５の取り付け孔２７に差し入れ、取り付け台２５の取り付け凹所２９内にスリーブ１４端から突出する状態で位置するネジ部１２にパッキン１７、金属製ワッシャ１８、金属製バネワッシャ１９、１９それぞれを順次装着し、その露呈するネジ部１２端にナット１３を装着して締め付ける。この締め付けによりボルト１１が金属製バネワッシャ１９、１９のバネ力に抗してナット１３側に相対的に引き付けられ、これによりアーム体５の下部側面と取り付け台２５の側面とがパッキン１５を介して圧接する状態となる。【００１２】  このように両者が圧接することで、アーム体５の下部は所定の回転位置において保持され、また、パッキン１５面が滑り性を持つことでアーム体５にある程度力をかけることで回転可能とされる。また、パッキン１７が設けられていることで連結具１０側と取り付け台２５側との相対滑り性が得られ、これによってもアーム体５下部の回転がスムーズに行われる。内側の金属製バネワッシャ１９がその周縁において直接大きな力で接触するとパッキン１７が損傷する恐れがあるが、パッキン１７に面接触する金属製ワッシャ１８を介していることでそれを解消している。【００１３】  図１に示すテレビ支持装置１では、連結部Ａが上記連結構造とされることで基台２にテレビ支持体３が矢印方向Ｘに回転可能に保持され、図２に示すテレビ支持装置１では、連結部Ｂ、Ｃが上記連結構造とされることで基台２にアーム体５下部が、アーム体５上部にテレビ支持体３がそれぞれ矢印方向Ｘに回転可能に保持され、図３に示すテレビ支持装置１では、連結部Ｂ、Ｃ、Ｄが上記連結構造とされることで基台２に下方のアーム体５下部が、そのアーム体５上部に上方のアーム体５下部が、そのアーム体５の上部に対してテレビ支持体３がそれぞれ矢印方向Ｘに回転可能に保持される。【００１４】  このようして、高さが異なり連結部Ａ、Ｂ、Ｃ、Ｄが回転可能で角度調整が可能なテレビ支持装置１が、同一の連結構造により連結部材を共通にして、また、同様の組み立て方法により実現される。なお、上記実施形態のテレビ支持体１それぞれにおいては、取り付け部３０にテレビ支持面３１が矢印Ｙ方向に回転可能に保持されていて、これにより、上記それぞれのテレビ支持装置１はテレビ支持面３１上に配置固定されるテレビの俯仰方向、水平方向での角度調整がともに可能なようになっている。
【図面の簡単な説明】
【００１５】
【図１】  この発明のテレビ支持装置の実施形態の外観斜視図
【図２】  この発明のテレビ支持装置の実施形態の外観斜視図
【図３】  この発明のテレビ支持装置の実施形態の外観斜視図
【図４】  この発明の連結構造の実施形態の断面図
【図５】  この発明において用いる連結具の実施形態の外観斜視図
【符号の説明】
【００１６】１  テレビ支持装置
２  基台
３  テレビ支持体
５  アーム体
Ａ  連結部
Ｂ  連結部
Ｃ  連結部
Ｄ  連結部
【図１】
2009182952.tif 000003
【図２】
2009182952.tif 000004
【図３】
2009182952.tif 000005
【図４】
2009182952.tif 000006
【図５】
2009182952.tif 000007